(57)【要約】【課題】特定の場所への人の入退に際して、この人が当該場所に持ち込む又は当該場所から持ち出す荷物について管理可能なゲート管理システム、ゲート管理方法及びプログラムを提供する。【解決手段】ゲート管理システム１０は、実行部１１と、管理部１２と、を備えている。実行部１１は、施設における第１領域から第２領域への人の移動に際して、認証処理及び検査処理を実行する。認証処理は、人の認証のための処理である。検査処理は、人が所持する荷物の検査のための処理である。管理部１２は、１回の移動に際して実行された、認証処理に関する認証関連データ、及び検査処理に関する検査関連データを、互いに対応付け可能な態様で管理する。【選択図】図３
2020129235.tif 000002
【特許請求の範囲】
【請求項１】
施設における第１領域から第２領域への人の移動に際して、前記人の認証のための認証処理、及び前記人が所持する荷物の検査のための検査処理、を実行する実行部と、
１回の移動に際して実行された、前記認証処理に関する認証関連データ、及び前記検査処理に関する検査関連データを、互いに対応付け可能な態様で管理する管理部と、を備える、
ゲート管理システム。
【請求項２】
前記認証処理は前記人の顔の画像を用いた顔認証処理を含む、
請求項１に記載のゲート管理システム。
【請求項３】
前記検査処理は前記荷物を撮影する処理を含む、
請求項１又は２に記載のゲート管理システム。
【請求項４】
前記検査処理の検査対象について前記人が所持する前記荷物であることを証明するための証明処理を実行する証明部を更に含む、
請求項１〜３のいずれか１項に記載のゲート管理システム。
【請求項５】
前記証明処理は、前記検査処理に際して前記荷物を置くための検査領域と、前記検査領域の周辺領域と、を含む広域領域を撮影する処理を含む、
請求項４に記載のゲート管理システム。
【請求項６】
前記証明処理は、前記検査処理に際して前記荷物を置くための検査領域に、前記荷物が検査可能な態様で置かれたことの検知を含む、
請求項４又は５に記載のゲート管理システム。
【請求項７】
前記施設は複数あって、
前記複数の施設における前記認証関連データ、及び前記検査関連データを収集する収集部を更に備える、
請求項１〜６のいずれか１項に記載のゲート管理システム。
【請求項８】
前記管理部は、前記認証関連データ及び前記検査関連データに含まれる同一の時間軸の時間情報によって、前記認証関連データ及び前記検査関連データを互いに対応付け可能な態様で管理する、
請求項１〜７のいずれか１項に記載のゲート管理システム。
【請求項９】
前記管理部は、前記認証関連データ及び前記検査関連データに対して、共通のラベル情報を付すことにより、前記認証関連データ及び前記認証関連データを互いに対応付け可能な態様で管理する、
請求項１〜７のいずれか１項に記載のゲート管理システム。
【請求項１０】
前記認証関連データを伝送するための通信路は、前記検査関連データを伝送するための通信路と別である、
請求項１〜９のいずれか１項に記載のゲート管理システム。
【請求項１１】
前記実行部は、前記第２領域から前記第１領域への前記人の移動に際しても、前記認証処理及び前記検査処理を実行する、
請求項１〜１０のいずれか１項に記載のゲート管理システム。
【請求項１２】
同一の前記人について、前記第１領域から前記第２領域への移動に際して生じた前記認証関連データ及び前記検査関連データと、前記第２領域から前記第１領域への移動に際して生じた前記認証関連データ及び前記検査関連データと、を互いに比較可能な態様で出力する比較部を更に備える、
請求項１１に記載のゲート管理システム。
【請求項１３】
施設における第１領域から第２領域への人の移動に際して実行する、前記人の認証のための認証処理と、
前記第１領域から前記第２領域への前記人の移動に際して実行する、前記人が所持する荷物の検査のための検査処理と、
１回の移動に際して実行された、前記認証処理に関する認証関連データ、及び前記検査処理に関する検査関連データを、互いに対応付け可能な態様で管理する管理処理と、を有する、
ゲート管理方法。
【請求項１４】
請求項１３に記載のゲート管理方法を１以上のプロセッサに実行させるためのプログラム。
【発明の詳細な説明】
【技術分野】
【０００１】
本開示は、一般にゲート管理システム、ゲート管理方法及びプログラムに関し、より詳細には、施設における第１領域から第２領域への人の移動を管理するためのゲート管理システム、ゲート管理方法及びプログラムに関する。
【背景技術】
【０００２】
特許文献１には、モバイル端末の利用者の管理場所への入退を検出し、端末ロックサーバが、利用者の識別データを含む入室情報を格納する、入退認証システムが記載されている。モバイル端末は、管理場所にモバイル端末が持ち込まれていることを検出し、モバイル端末が持ち込まれると連携モードを設定し、利用者の識別データを含む入室情報が端末ロックサーバに登録されているかを確認し、登録が確認されると端末ロックを解除する。持込み検出からロック制御までの機能がモバイル端末に備えられている。また、モバイル端末は、管理場所からの持出しを検知し、連携モードを解除し、独立して端末ロックを制御する。
【先行技術文献】
【特許文献】
【０００３】
【特許文献１】特開２００６−２３５９８６号公報
【発明の概要】
【発明が解決しようとする課題】
【０００４】
特許文献１に記載のシステムでは、特定の場所（管理領域）への人の入退についてはモバイル端末にて管理できるものの、この人が当該場所に持ち込む又は当該場所から持ち出す荷物について管理する機能は無い。
【０００５】
本開示は上記事由に鑑みてなされており、特定の場所への人の入退に際して、この人が当該場所に持ち込む又は当該場所から持ち出す荷物について管理可能なゲート管理システム、ゲート管理方法及びプログラムを提供することを目的とする。
【課題を解決するための手段】
【０００６】
本開示の一態様に係るゲート管理システムは、実行部と、管理部と、を備える。前記実行部は、施設における第１領域から第２領域への人の移動に際して、認証処理、及び検査処理、を実行する。前記認証処理は、前記人の認証のための処理である。前記検査処理は、前記人が所持する荷物の検査のための処理である。前記管理部は、１回の移動に際して実行された、前記認証処理に関する認証関連データ、及び前記検査処理に関する検査関連データを、互いに対応付け可能な態様で管理する。
【０００７】
本開示の一態様に係るゲート管理方法は、認証処理と、検査処理と、管理処理と、を有する。前記認証処理は、施設における第１領域から第２領域への人の移動に際して実行する、前記人の認証のための処理である。検査処理は、前記第１領域から前記第２領域への前記人の移動に際して実行する、前記人が所持する荷物の検査のための処理である。前記管理処理は、１回の移動に際して実行された、前記認証処理に関する認証関連データ、及び前記検査処理に関する検査関連データを、互いに対応付け可能な態様で管理する処理である。
【０００８】
本開示の一態様に係るプログラムは、前記ゲート管理方法を１以上のプロセッサに実行させるためのプログラムである。
【発明の効果】
【０００９】
本開示によれば、特定の場所への人の入退に際して、この人が当該場所に持ち込む又は当該場所から持ち出す荷物について管理可能である、という利点がある。
【図面の簡単な説明】
【００１０】
【図１】図１は、実施形態１に係るゲート管理システムを含む統括管理システムの全体構成を示す概念図である。
【図２】図２は、同上のゲート管理システムが適用される店舗を示す説明図である。
【図３】図３は、同上のゲート管理システムを含む統括管理システムのブロック図である。
【図４】図４は、同上のゲート管理システムにおいて情報端末に表示される操作用の画面が遷移する様子を模式的に表す説明図である。
【図５】図５は、同上のゲート管理システムにおいて管理者端末に表示される管理用の画面の一例を示す説明図である。
【図６】図６は、同上のゲート管理システムの動作例を示すフローチャートである。
【図７】図７は、実施形態２に係るゲート管理システムの要部を示す概念図である。
【発明を実施するための形態】
【００１１】
（実施形態１）
（１）概要
まず、本実施形態に係るゲート管理システム１０の概要について、図１〜図３を参照して説明する。
【００１２】
本実施形態に係るゲート管理システム１０は、施設における第１領域Ａ１から第２領域Ａ２への人Ｈ１の移動を管理するためのシステムである。本開示でいう「施設」は、少なくとも第１領域Ａ１及び第２領域Ａ２を含む施設であって、例えば、店舗、事務所、テーマパーク、球場、ホール、倉庫、物流センター（配送センターを含む）、工場、学校、病院、駅、空港、駐車場又は住宅等である。さらに、例えば、船舶、飛行機又は電車等の移動体について第１領域Ａ１及び第２領域Ａ２が設定される場合には、移動体が施設になる。本実施形態では一例として、施設が店舗Ｆ１である場合について説明する。この場合において、例えば、施設である店舗Ｆ１の建物内に第１領域Ａ１及び第２領域Ａ２が設定されてもよいし、施設である店舗Ｆ１の建物内に第１領域Ａ１が設定され、建物外（屋外）に第２領域Ａ２が設定されてもよい。
【００１３】
このようなゲート管理システム１０において、例えば、第２領域Ａ２を「特定の場所」とすれば、第１領域Ａ１から第２領域Ａ２への人Ｈ１の移動を管理することは、「特定の場所」への人Ｈ１の移動（入場）を管理することと同義である。また、ゲート管理システム１０において、第１領域Ａ１を「特定の場所」とすれば、第１領域Ａ１から第２領域Ａ２への人Ｈ１の移動を管理することは、「特定の場所」からの人Ｈ１の移動（退場）を管理することと同義である。
【００１４】
ここにおいて、本実施形態に係るゲート管理システム１０は、特定の場所（第１領域Ａ１又は第２領域Ａ２）への人Ｈ１の入退に際して、この人Ｈ１が当該場所に持ち込む又は当該場所から持ち出す荷物Ｂ１についても管理可能に構成されている。すなわち、ゲート管理システム１０では、人Ｈ１の移動に併せて、この人Ｈ１が所持する荷物Ｂ１の検査を行うことで、持ち込まれる又は持ち出される荷物Ｂ１についても管理可能となる。
【００１５】
そのために、本実施形態に係るゲート管理システム１０は、図３に示すように、実行部１１と、管理部１２と、を備えている。実行部１１は、施設（ここでは店舗Ｆ１）における第１領域Ａ１から第２領域Ａ２への人Ｈ１の移動に際して、認証処理及び検査処理を実行する。認証処理は、人Ｈ１の認証のための処理である。検査処理は、人Ｈ１が所持する荷物Ｂ１の検査のための処理である。管理部１２は、１回の移動に際して実行された、認証処理に関する認証関連データ、及び検査処理に関する検査関連データを、互いに対応付け可能な態様で管理する。
【００１６】
上述した構成のゲート管理システム１０によれば、人Ｈ１の１回の移動に際して得られる認証関連データ及び検査関連データが、互いに対応付け可能な態様で管理される。例えば、ある人Ｈ１の特定の場所（第２領域Ａ２）への移動（入場）について、この人Ｈ１の認証処理に関する認証関連データと、この人Ｈ１が当該場所に持ち込む荷物Ｂ１の検査処理に関する検査関連データと、が互いに対応付け可能な態様で管理される。その結果、ゲート管理システム１０では、特定の場所への人Ｈ１の入退に際して、この人Ｈ１が当該場所に持ち込む又は当該場所から持ち出す荷物Ｂ１の検査状況についても、人Ｈ１の入退と対応付けて確認可能となる。このように、ゲート管理システム１０では、特定の場所へ移動する人Ｈ１についてだけでなく、この人Ｈ１が当該場所に持ち込む又は当該場所から持ち出す荷物Ｂ１についても管理可能である。
【００１７】
（２）詳細
（２．１）前提
本実施形態では一例として、図１に示すように、ゲート管理システム１０が、施設としての店舗Ｆ１（特にスーパーマーケットを想定する）を管理対象とする場合について説明する。ここでは、ゲート管理システム１０は、店舗Ｆ１の従業員（店員）である人Ｈ１の出退勤の管理に利用される場合を想定する。
【００１８】
この店舗Ｆ１では、人Ｈ１（従業員）は、出勤時に店舗Ｆ１のバックヤードを通って更衣室に入り、更衣室で着替えてから売り場に出る。また、退勤時には、人Ｈ１は、店舗Ｆ１の更衣室で着替えてから、バックヤードを通って店舗Ｆ１の外に出る。本実施形態では、バックヤードを第１領域Ａ１、更衣室を第２領域Ａ２とする。そうすると、人Ｈ１は、出勤時に、店舗Ｆ１における第１領域Ａ１（バックヤード）から第２領域Ａ２（更衣室）に移動することになる。同様に、人Ｈ１（従業員）は、退勤時に、店舗Ｆ１における第２領域Ａ２（更衣室）から第１領域Ａ１（バックヤード）に移動することになる。
【００１９】
この種の店舗Ｆ１において、一般的には、人Ｈ１（従業員）は、何らかの荷物Ｂ１を所持して出勤し、勤務中は更衣室に荷物Ｂ１を置いておいて、退勤時にこの荷物Ｂ１を持ち帰る。つまり、出勤時には、人Ｈ１（従業員）は、荷物Ｂ１を第２領域Ａ２（更衣室）に持ち込むことになる。同様に、退勤時には、人Ｈ１（従業員）は、荷物Ｂ１を第２領域Ａ２（更衣室）から持ち出すことになる。荷物Ｂ１の例として、財布、鍵、化粧品、携帯電話、本、お菓子及び飲食物等を収容したバッグ等がある。
【００２０】
このような店舗Ｆ１において、ゲート管理システム１０は、例えば、出勤時に、第１領域Ａ１（バックヤード）から第２領域Ａ２（更衣室）に移動する人Ｈ１の認証と併せて、第２領域Ａ２（更衣室）に持ち込まれる荷物Ｂ１の検査を実行する。これにより、店舗Ｆ１に入る人Ｈ１の認証が可能になり、さらに、危険物等の好ましくない荷物Ｂ１を店舗Ｆ１に持ち込むことの抑制が可能となる。また、本実施形態に係るゲート管理システム１０では、退勤時に、第２領域Ａ２（更衣室）から第１領域Ａ１（バックヤード）に移動する人Ｈ１の認証と併せて、第２領域Ａ２（更衣室）から持ち出される荷物Ｂ１の検査を実行する。これにより、店舗Ｆ１から出る人Ｈ１の認証が可能になり、さらに、店舗Ｆ１で扱っている商品及び備品等を店舗Ｆ１から無断で持ち出すことの抑制が可能となる。このように、ゲート管理システム１０では、人Ｈ１の出退勤の管理に際して、店舗Ｆ１に持ち込まれる、又は持ち出される荷物Ｂ１の検査が可能である。
【００２１】
また、本実施形態では一例として、図１に示すように、１つの店舗Ｆ１だけではなく複数の店舗Ｆ１が、ゲート管理システム１０の管理対象である場合について説明する。複数の店舗Ｆ１は、同一グループであって、かつ同一エリアに存在する店舗Ｆ１である。これら複数の店舗Ｆ１は、本部Ｆ２で管理されている。本部Ｆ２は、少なくとも複数の店舗Ｆ１の従業員（人Ｈ１）の出退勤に係る情報を管理している。ここでいう「出退勤に係る情報」は、従業員ごとの勤務時間割を表すシフト情報を含んでいる。つまり、本実施形態に係るゲート管理システム１０は、本部Ｆ２の管理下にある複数の店舗Ｆ１を対象として、従業員（店員）である人Ｈ１の出退勤の管理に利用される。
【００２２】
本開示でいう「１回の移動」とは、第１領域Ａ１から第２領域Ａ２へと移動する人Ｈ１の一連の動作を指す。そのため、人Ｈ１の移動速度にかかわらず、１人の人Ｈ１が第１領域Ａ１から第２領域Ａ２へ移動するのに要した時間が、「１回の移動」に要した時間となる。例えば、ある人Ｈ１が、第１領域Ａ１から第２領域Ａ２へと移動した後、第２領域Ａ２から第１領域Ａ１へと移動し、更に後に第１領域Ａ１から第２領域Ａ２へと移動した場合、この人Ｈ１は、第１領域Ａ１から第２領域Ａ２へと「２回」移動したことになる。また、例えば、ある人Ｈ１が第１領域Ａ１から第２領域Ａ２へと移動した後、別の人Ｈ１が第１領域Ａ１から第２領域Ａ２へと移動した場合、これら２人の人Ｈ１は、それぞれ「１回ずつ」、第１領域Ａ１から第２領域Ａ２へ移動したことになる。
【００２３】
本開示でいう「所持」は、人Ｈ１が持っている又は携帯していること全般を意味し、手に持っている場合だけでなく、身に着けている（装着している）こと、及び着衣のポケット若しくはバッグ等に収容していることを含む。そのため、人Ｈ１が所持する荷物Ｂ１は、人Ｈ１が自ら持ち運ぶ荷物である手荷物、つまり手回りの荷物の他、例えば、人Ｈ１が着衣のポケット等に収容している物、及び腕時計等の人Ｈ１が身に着けている物等を含んでもよい。さらに、手荷物がバッグ又はポーチ等の入れ物に収容されている場合には、入れ物も荷物Ｂ１に含んでもよい。
【００２４】
本開示でいう「互いに対応付け可能な態様」とは、ある規則に従って二者の対応付けが可能である態様全般を含む。そのため、２つのデータについて互いに対応付け可能な態様は、例えば、２つのデータが組となるようにテーブル形式等でまとめて記憶されることにより、多数のデータの中から、これら２つのデータを対応付けた形で読み出し得る態様を含む。また、２つのデータについて互いに対応付け可能な態様は、例えば、２つのデータに含まれる何らかの情報で検索することにより、多数のデータの中から、これら２つのデータを対応付けた形で読み出し得る態様を含む。さらに、２つのデータについて互いに対応付け可能な態様は、例えば、２つのデータに対して共通の情報（ラベル情報）を付加することにより、多数のデータの中から、これら２つのデータを対応付けた形で読み出し得る態様を含む。
【００２５】
（２．２）全体構成
まず、本実施形態に係るゲート管理システム１０を含む統括管理システム１００の全体構成について説明する。
【００２６】
統括管理システム１００は、図１に示すように、ゲート管理システム１０と、各店舗Ｆ１に設置された設備（全体カメラ２１、荷物用カメラ２２及び情報端末２３等）と、本部Ｆ２に設置された本部側システム３０と、を備えている。ゲート管理システム１０、各店舗Ｆ１に設置された設備（全体カメラ２１、荷物用カメラ２２及び情報端末２３等）、及び本部側システム３０は、インターネット等のネットワークＮＴ１に接続されている。
【００２７】
ここで、ゲート管理システム１０、各店舗Ｆ１に設置された設備（全体カメラ２１、荷物用カメラ２２及び情報端末２３等）、及び本部側システム３０は、互いに通信可能に構成されている。本開示でいう「通信可能」とは、有線通信又は無線通信の適宜の通信方式により、直接的、又はネットワークＮＴ１若しくは中継器等を介して間接的に、信号を授受できることを意味する。すなわち、ゲート管理システム１０は、例えば、各店舗Ｆ１に設置された設備（全体カメラ２１、荷物用カメラ２２及び情報端末２３等）の各々から信号を受信することが可能である。
【００２８】
また、本実施形態では、統括管理システム１００は、図３に示すように、認証システム４０及び管理者端末５０を更に備えている。認証システム４０は、少なくともゲート管理システム１０と通信可能に構成されている。管理者端末５０は、少なくとも本部側システム３０と通信可能に構成されている。さらに、本実施形態では、各店舗Ｆ１に設置された設備は、全体カメラ２１、荷物用カメラ２２及び情報端末２３に加えて、施解錠システム２４を含んでいる。
【００２９】
本実施形態では、店舗Ｆ１に設置された設備（全体カメラ２１、荷物用カメラ２２、情報端末２３及び施解錠システム２４）は、ゲート管理システム１０の構成要素に含まないこととして説明する。ただし、ゲート管理システム１０は、店舗Ｆ１に設置された設備（全体カメラ２１、荷物用カメラ２２、情報端末２３及び施解錠システム２４）の少なくとも１つを、構成要素に含んでいてもよい。同様に、本実施形態では、本部側システム３０、認証システム４０及び管理者端末５０は、ゲート管理システム１０の構成要素に含まないこととして説明する。ただし、ゲート管理システム１０は、本部側システム３０、認証システム４０及び管理者端末５０の少なくとも１つを、構成要素に含んでいてもよい。
【００３０】
ゲート管理システム１０は、本実施形態では、クラウドＣ１（クラウドコンピューティング）上に構築されている。ゲート管理システム１０は、上述したように実行部１１及び管理部１２を備えている（図３参照）。また、本実施形態では、ゲート管理システム１０は、認証処理に関する認証関連データ、及び検査処理に関する検査関連データを格納するためのデータベース（第１データベースＤＢ１及び第２データベースＤＢ２）を更に備えている。具体的には、ゲート管理システム１０は、図１に示すように、認証関連データとして少なくとも「顔認証履歴」を記憶し、検査関連データとして少なくとも「録画映像」を記憶する。ゲート管理システム１０の構成について詳しくは、「（２．３）ゲート管理システムの構成」の欄で説明する。
【００３１】
各店舗Ｆ１には、図２に示すように、全体カメラ２１、荷物用カメラ２２及び情報端末２３等の設備が設置されている。図２には示されていないが、上述したように、各店舗Ｆ１には、施解錠システム２４（図３参照）が更に設置されている。
【００３２】
施解錠システム２４は、第１領域Ａ１（バックヤード）と第２領域Ａ２（更衣室）との間の扉２５の施解錠を行うシステムである。施解錠システム２４が扉２５を施錠している状態では、人Ｈ１は、第１領域Ａ１（バックヤード）から第２領域Ａ２（更衣室）への移動が阻止される。施解錠システム２４が扉２５を解錠することで、人Ｈ１は、第１領域Ａ１（バックヤード）から第２領域Ａ２（更衣室）への移動が可能となる。
【００３３】
また、各店舗Ｆ１には、一例として、認証処理及び検査処理を実行するためのスペースとして机２６が設置されている。この机２６上には、検査処理に使用する、かご２７が設置されている。詳しくは後述するが、かご２７は、検査処理時に、荷物Ｂ１を収容するために使用される。言い換えれば、かご２７の内部領域は、検査処理に際して荷物Ｂ１を置くための検査領域となる。例えば、荷物Ｂ１が、財布、鍵、化粧品及び携帯電話等を収容したバッグである場合、バッグの中身（財布、鍵、化粧品及び携帯電話等）が、検査領域であるかご２７内に置かれた状態で検査処理が実行される。
【００３４】
全体カメラ２１は、広域領域を撮影するカメラである。ここでいう広域領域は、検査領域（ここでは、かご２７の内部領域）と、検査領域の周囲領域と、を含む領域である。本実施形態では一例として、全体カメラ２１は、かご２７の内部領域と、その周囲領域と、を撮影できるように、第１領域Ａ１（バックヤード）の壁の上部（天井付近）に設置されている。この全体カメラ２１は、机２６側に向けられており、机２６上のかご２７及び机２６の手前に存在する人Ｈ１を画角内に含む画像データを生成する。
【００３５】
荷物用カメラ２２は、検査領域（ここでは、かご２７の内部領域）を撮影するカメラである。本実施形態では一例として、荷物用カメラ２２は、かご２７の内部領域を撮影できるように、第１領域Ａ１（バックヤード）の机２６上であってかご２７の上方に設置されている。この荷物用カメラ２２は、かご２７に向けられており、机２６上のかご２７の内部領域を画角内に含む画像データを生成する。
【００３６】
本開示でいう「画像」は、動画（動画像）及び静止画（静止画像）を含む。さらに、「動画」は、コマ撮り等により得られる複数の静止画にて構成される画像を含む。本実施形態では一例として、全体カメラ２１及び荷物用カメラ２２が生成する画像データは、いずれもフルカラーの動画（動画像）である。本実施形態では一例として、全体カメラ２１及び荷物用カメラ２２の各々はＷｅｂカメラ又はビデオカメラである。
【００３７】
情報端末２３は、１以上のプロセッサ及び１以上のメモリを有するコンピュータシステムを主構成とする。プロセッサは、メモリに記録されているプログラムを実行することにより、情報端末２３の機能を実現する。プログラムは、予めメモリに記録されていてもよいし、メモリカードのような非一時的記録媒体に記録されて提供されたり、電気通信回線を通して提供されたりしてもよい。言い換えれば、上記プログラムは、コンピュータシステムを、情報端末２３として機能させるためのプログラムである。
【００３８】
情報端末２３は、カメラ２３１及びユーザインタフェース２３２を含んでいる。本実施形態では一例として、情報端末２３は、タブレット端末であって、第１領域Ａ１（バックヤード）の机２６上に設置されている。カメラ２３１は、認証処理に際して人Ｈ１の顔を撮影する。ユーザインタフェース２３２は、人Ｈ１の操作を受け付ける機能、及び人Ｈ１に情報を提示する機能を有している。本実施形態では、ユーザインタフェース２３２は、タッチパネルディスプレイにて実現される。そのため、情報端末２３は、タッチパネルディスプレイに表示される各画面上でのボタン等のオブジェクトの操作（タップ、スワイプ、ドラッグ等）を検出することをもって、ボタン等のオブジェクトが操作されたことと判断する。本開示でいう「画面」は、ディスプレイに映し出される像（テキスト、グラフ及びアイコン等を含む）である。つまり、情報端末２３は、タッチパネルディスプレイに含まれる、例えば、液晶ディスプレイ、有機ＥＬ（Electro Luminescence）ディスプレイ等に、画面を表示する。
【００３９】
本部側システム３０は、本部Ｆ２に設置されており、少なくとも本部Ｆ２の管理下にある複数の店舗Ｆ１の従業員（人Ｈ１）の出退勤に係る情報を管理している。つまり、本部側システム３０は、少なくともシフト情報を含む「出退勤に係る情報」を記憶している。本部側システム３０は、「出退勤に係る情報」を変更可能な状態で保持しており、本部側システム３０に対する直接的又は間接的な操作により、「出退勤に係る情報」が変更される。
【００４０】
認証システム４０は、人Ｈ１の認証を行うシステムである。認証の具体例として、例えば、顔認証、生体認証（声紋認証、指紋認証及び静脈認証等）、ＩＤ等による認証、又はこれらの組み合わせによる認証がある。いずれの場合でも、認証システム４０は、店舗Ｆ１の従業員として登録された認証データを記憶しており、この認証データと、ゲート管理システム１０から取得した認証関連データと、を用いて認証を行う。そして、認証システム４０は、認証の結果（成功又は失敗）をゲート管理システム１０に出力する。このように、ゲート管理システム１０の実行部１１は、認証システム４０と連携することにより、人Ｈ１の認証のための認証処理を実行可能となる。認証システム４０は、本実施形態では、ゲート管理システム１０と共に、クラウドＣ１（クラウドコンピューティング）上に構築されている。
【００４１】
本実施形態では一例として、ゲート管理システム１０の実行部１１が実行する認証処理は、人Ｈ１の顔の画像を用いた顔認証処理を含む。そのため、認証システム４０は、顔認証に対応するシステムである。
【００４２】
管理者端末５０は、例えば、店舗Ｆ１の管理者が所有する情報端末である。本実施形態では一例として、管理者端末５０は、タブレット端末である。管理者端末５０は、本部側システム３０と通信することで、例えば、「出退勤に係る情報」の閲覧、及び「出退勤に係る情報」を変更するための操作が可能である。また、管理者端末５０は、本部側システム３０を介して、ゲート管理システム１０とも通信可能に構成されている。そのため、管理者端末５０は、ゲート管理システム１０と通信することで、管理部１２にて管理されているデータ（認証関連データ及び検査関連データ等）の閲覧が可能である。
【００４３】
本部側システム３０、認証システム４０及び管理者端末５０の各々は、１以上のプロセッサ及び１以上のメモリを有するコンピュータシステムを主構成とする。プロセッサは、メモリに記録されているプログラムを実行することにより、本部側システム３０、認証システム４０及び管理者端末５０の各々の機能を実現する。プログラムは、予めメモリに記録されていてもよいし、メモリカードのような非一時的記録媒体に記録されて提供されたり、電気通信回線を通して提供されたりしてもよい。言い換えれば、上記プログラムは、コンピュータシステムを、本部側システム３０、認証システム４０又は管理者端末５０として機能させるためのプログラムである。
【００４４】
（２．３）ゲート管理システムの構成
次に、本実施形態に係るゲート管理システム１０の構成について、図３を参照してより詳しく説明する。本実施形態では、ゲート管理システム１０は、上述したように、クラウドＣ１（クラウドコンピューティング）上に構築されている。
【００４５】
ゲート管理システム１０は、上述したように実行部１１及び管理部１２に加えて、認証関連データ及び検査関連データを格納するためのデータベースとして、第１データベースＤＢ１及び第２データベースＤＢ２を備えている。また、本実施形態では、ゲート管理システム１０は、証明部１３と、収集部１４と、比較部１５と、制御部１６と、通信部１７と、を更に備えている。本実施形態では一例として、ゲート管理システム１０は、１以上のプロセッサ及び１以上のメモリを有するコンピュータシステムを主構成とする。プロセッサは、メモリに記録されているプログラムを実行することにより、実行部１１、管理部１２、証明部１３、収集部１４、比較部１５及び制御部１６等の機能を実現する。プログラムは、予めメモリに記録されていてもよいし、メモリカードのような非一時的記録媒体に記録されて提供されたり、電気通信回線を通して提供されたりしてもよい。言い換えれば、上記プログラムは、コンピュータシステムを、ゲート管理システム１０として機能させるためのプログラムである。
【００４６】
実行部１１は、施設（ここでは店舗Ｆ１）における第１領域Ａ１から第２領域Ａ２への人Ｈ１の移動に際して、認証処理及び検査処理を実行する。認証処理は、人Ｈ１の認証のための処理である。検査処理は、人Ｈ１が所持する荷物Ｂ１の検査のための処理である。
【００４７】
本実施形態では、上述したように、認証処理は人Ｈ１の顔の画像を用いた顔認証処理を含んでいる。具体的には、実行部１１は、情報端末２３のカメラ２３１で撮影された人Ｈ１の顔の画像を用いて、認証システム４０と連携して認証処理を実行する。すなわち、実行部１１は、店舗Ｆ１に設置された情報端末２３のカメラ２３１に、人Ｈ１の顔の画像を撮影させ、この画像（画像データ）を認証システム４０に出力することで、認証処理を実行する。実行部１１は、認証システム４０での認証の結果を取得する。ここで、認証処理に用いられる画像データ（人Ｈ１の顔の画像）は、認証処理に関する認証関連データに含まれる。また、認証システム４０での認証の結果（成功又は失敗）についても、認証関連データに含まれる。
【００４８】
一方、検査処理は、本実施形態では、荷物Ｂ１を撮影する処理を含んでいる。具体的には、実行部１１は、店舗Ｆ１に設置された荷物用カメラ２２にて荷物Ｂ１を撮像する。詳しくは「（２．４）動作例」の欄で説明するが、荷物用カメラ２２は、かご２７内に置かれた荷物Ｂ１を撮影し、その画像（画像データ）をゲート管理システム１０に出力する。実行部１１は、この画像を荷物用カメラ２２から取得することにより、検査処理を実行する。実行部１１は、このようにして取得した荷物Ｂ１の画像を、例えば、管理者端末５０のディスプレイに表示してもよいし、この画像を解析することで自動的に荷物Ｂ１の検査を行ってもよい。前者の場合、荷物Ｂ１の検査は、管理者が目視で行うことになる。後者の場合、荷物Ｂ１の検査は、実行部１１が行うことになる。ここで、検査処理に用いられる画像データ（荷物Ｂ１の画像）は、検査処理に関する検査関連データに含まれる。
【００４９】
また、本実施形態では、実行部１１は、第２領域Ａ２から第１領域Ａ１への人Ｈ１の移動に際しても、認証処理及び検査処理を実行する。これにより、本実施形態に係るゲート管理システム１０では、上述したように、退勤時に、第２領域Ａ２（更衣室）から第１領域Ａ１（バックヤード）に移動する人Ｈ１の認証と併せて、第２領域Ａ２（更衣室）から持ち出される荷物Ｂ１の検査を実行できる。結果的に、ゲート管理システム１０では、人Ｈ１の出退勤の管理に際して、店舗Ｆ１に持ち込まれる、又は持ち出される荷物Ｂ１の検査が可能である。そして、実行部１１だけでなく、管理部１２、証明部１３及び収集部１４等においても、第２領域Ａ２から第１領域Ａ１への人Ｈ１の移動に際しても、第１領域Ａ１から第２領域Ａ２への人Ｈ１の移動と同様の処理を実行する。
【００５０】
管理部１２は、１回の移動に際して実行された、認証処理に関する認証関連データ、及び検査処理に関する検査関連データを、互いに対応付け可能な態様で管理する。これにより、ある人Ｈ１の出勤時（又は退勤時）に得られた認証関連データ及び検査関連データは、互いに対応付け可能な態様で管理されることになる。管理部１２は、「録画映像」を含む検査関連データを第１データベースＤＢ１に記憶し、「顔認証履歴」を含む認証関連データを第２データベースＤＢ２に記憶することで、認証関連データ及び検査関連データを、互いに対応付け可能な態様で管理する。
【００５１】
本実施形態では、管理部１２は、認証関連データ及び検査関連データに含まれる同一の時間軸の時間情報によって、認証関連データ及び前記検査関連データを互いに対応付け可能な態様で管理する。すなわち、本実施形態では、認証関連データ及び検査関連データは、同一の時間軸の時間情報（タイムスタンプ）を含んでいる。そのため、管理部１２は、検査関連データ及び認証関連データを、第１データベースＤＢ１及び第２データベースＤＢ２に別々に記憶しつつも、検査関連データ及び認証関連データを、互いに対応付け可能な態様で管理できる。つまり、ある時間情報で第１データベースＤＢ１及び第２データベースＤＢ２の検索をかけることで、検査関連データ及び認証関連データは、多数のデータの中から、対応付けられた形で読み出し得る。
【００５２】
証明部１３は、検査処理の検査対象について人Ｈ１が所持する荷物Ｂ１であることを証明するための証明処理を実行する。つまり、本実施形態に係るゲート管理システム１０は、検査処理の検査対象が、確かに人Ｈ１が所持する荷物Ｂ１であることを証明するための機能を有している。これにより、人Ｈ１が故意又は過失により、自らの荷物Ｂ１を検査処理の検査対象としないような、検査処理に関する不正を抑制する効果がある。
【００５３】
本実施形態では、証明処理は、検査処理に際して荷物Ｂ１を置くための検査領域と、検査領域の周辺領域と、を含む広域領域を撮影する処理を含む。つまり、証明部１３は、全体カメラ２１にて広域領域を撮影して得られる画像（画像データ）を少なくとも用いて、証明処理を実行する。このような広域領域の画像によれば、人Ｈ１が荷物Ｂ１を検査領域に置かなかったり、自らの荷物Ｂ１に代えて他人の荷物を置いたりした場合に、その不正が明らかになる。そこで、証明部１３は、全体カメラ２１で撮影された画像を、荷物用カメラ２２で撮影された画像と対応付け可能な態様で記録することにより、証明処理を実現する。
【００５４】
収集部１４は、複数の店舗Ｆ１（施設）における認証関連データ、及び検査関連データを収集する。つまり、本実施形態では、上述したように、店舗Ｆ１（施設）は複数あって、ゲート管理システム１０は、これら複数の店舗Ｆ１を管理対象としている。そのため、収集部１４は、これら複数の店舗Ｆ１からデータを収集することにより、本部Ｆ２での一元管理を可能とする。ゲート管理システム１０は、収集部１４で複数の店舗Ｆ１の各々から取集した認証関連データ、及び検査関連データについて、実行部１１及び管理部１２等で同様の処理を実行する。
【００５５】
比較部１５は、同一の人Ｈ１について、第１領域Ａ１から第２領域Ａ２への移動に際して生じた認証関連データ及び検査関連データと、第２領域Ａ２から第１領域Ａ１への移動に際して生じた認証関連データ及び検査関連データと、を互いに比較可能な態様で出力する。すなわち、本実施形態では、上述したように、出勤時だけでなく退勤時にも、荷物Ｂ１の検査を実行できる。そこで、比較部１５では、ある人Ｈ１について、出勤時（第１領域Ａ１から第２領域Ａ２への移動時）の荷物Ｂ１の検査関連データと、退勤時（第２領域Ａ２から第１領域Ａ１への移動時）の荷物Ｂ１の検査関連データと、を比較可能な態様で出力する。本開示でいう「比較可能な態様」は、２つのデータを比較できるような態様全般を含み、例えば、単に２つのデータを並べて表示（一覧表示）する態様も含む。これにより、例えば、出勤時には荷物Ｂ１に無かった物品が、退勤時には荷物Ｂ１に含まれている等の状況を、容易に確認できるようになる。
【００５６】
制御部１６は、施解錠システム２４を制御する。本実施形態では、制御部１６は、認証処理及び検査処理が完了し、かつ認証に成功した場合に、扉２５を解錠するように施解錠システム２４を制御する。これにより、認証処理及び検査処理が完了し、かつ認証に成功すると、第１領域Ａ１（バックヤード）と第２領域Ａ２（更衣室）との間の人Ｈ１の移動が可能となる。制御部１６による扉２５の解錠は、出勤時及び退勤時のうち、認証処理後に第１領域Ａ１（バックヤード）から第２領域Ａ２（更衣室）への移動を伴う、出勤時にのみ行われてもよい。
【００５７】
通信部１７は、直接的、又はネットワークＮＴ１若しくは中継器等を介して間接的に、店舗Ｆ１に設置された設備（全体カメラ２１、荷物用カメラ２２、情報端末２３及び施解錠システム２４）、本部側システム３０及び認証システム４０の各々と通信する。通信部１７の通信方式としては、無線通信又は有線通信の適宜の通信方式が採用される。
【００５８】
本実施形態では、認証関連データを伝送するための通信路は、検査関連データを伝送するための通信路と別である。つまり、情報端末２３のカメラ２３１で得られる画像データ（人Ｈ１の顔の画像）を含む認証関連データ用の通信路は、荷物用カメラ２２で得られる画像データ（荷物Ｂ１の画像）を含む検査関連データ用の通信路と別である。通信部１７は、認証関連データ用の通信路を用いて認証関連データ（人Ｈ１の顔の画像データ）を情報端末２３から取得し、検査関連データ用の通信路を用いて検査関連データ（荷物Ｂ１の画像データ）を荷物用カメラ２２から取得する。通信部１７は、全体カメラ２１で得られる画像データについても、検査関連データ用の通信路を用いて全体カメラ２１から取得する。
【００５９】
（２．４）動作例
次に、本実施形態に係るゲート管理システム１０の動作について、図４及び図５を参照して説明する。図４は、情報端末２３に表示される操作用の画面Ｄ１〜Ｄ５が遷移する様子を模式的に表す説明図である。図５は、管理者端末５０に表示される管理用の画面Ｘ１の一例を示す説明図である。図４及び図５の例において、領域を示す一点鎖線及び参照符号は説明のために表記しているに過ぎず、実際には、これらの一点鎖線及び参照符号は表示されない。
【００６０】
図４に示すように、情報端末２３の操作が開始する前にあっては、情報端末２３には初期画面（待受画面）として、操作用の第１の画面Ｄ１が表示されている。第１の画面Ｄ１は、顔認証ボタンＤ１１、かご撮影ボタンＤ１２、鞄撮影ボタンＤ１３、出勤ボタンＤ１４、退勤ボタンＤ１５及びメッセージ領域Ｄ１６を含む。メッセージ領域Ｄ１６には、一例として、日付、時刻及び操作案内のメッセージ（「出退勤を選択してください」等）が、テキスト表示されている。
【００６１】
人Ｈ１が出勤すると、この人Ｈ１は、情報端末２３を操作して、第１の画面Ｄ１の出勤ボタンＤ１４をタップする。これにより、情報端末２３の表示内容が、操作用の第２の画面Ｄ２に遷移する。第２の画面Ｄ２は、顔認証ボタンＤ１１、かご撮影ボタンＤ１２、鞄撮影ボタンＤ１３、メッセージ領域Ｄ１７、画像領域Ｄ１８、撮影ボタンＤ１９及び新規登録ボタンＤ２０を含む。メッセージ領域Ｄ１７には、一例として、認証処理にて認証された人Ｈ１の名前（「〇〇様」等）、日付及び時刻が、テキスト表示される。画像領域Ｄ１８には、カメラ２３１で撮影された顔の画像が表示される。新規登録ボタンＤ２０は、認証システム４０に人Ｈ１を新規に登録するための新規登録処理を開始するためのボタンである。
【００６２】
出勤した人Ｈ１は、情報端末２３のカメラ２３１に顔を向けた上で、情報端末２３を操作して、第２の画面Ｄ２の顔認証ボタンＤ１１、及び撮影ボタンＤ１９を順にタップする。これにより、実行部１１にて認証処理が実行される。認証に成功した状態で、人Ｈ１が第２の画面Ｄ２のかご撮影ボタンＤ１２をタップすると、情報端末２３の表示内容が、操作用の第３の画面Ｄ３に遷移する。第３の画面Ｄ３は、顔認証ボタンＤ１１、かご撮影ボタンＤ１２、鞄撮影ボタンＤ１３、メッセージ領域Ｄ１７、操作ガイド領域Ｄ２１及び確認ボタンＤ２２を含む。操作ガイド領域Ｄ２１には、一例として、検査処理のための操作案内（「鞄の中身をかごに並べてください。並べたら撮影釦をクリックしてください。」等）が、テキスト表示される。
【００６３】
出勤した人Ｈ１は、自らの荷物Ｂ１を机２６上のかご２７に出した上で、情報端末２３を操作して、第３の画面Ｄ３の確認ボタンＤ２２をタップする。このとき、人Ｈ１が荷物Ｂ１をバッグに収容した状態で所持している場合は、人Ｈ１は、バッグから荷物Ｂ１を取り出してかご２７内に並べる。これにより、実行部１１にて検査処理が実行され、全体カメラ２１及び荷物用カメラ２２で得られた画像データがゲート管理システム１０に送信される。そして、情報端末２３の表示内容が、操作用の第５の画面Ｄ５に遷移する。
【００６４】
ところで、本実施形態では、検査処理において、かご２７を使用せずに、バッグごと荷物Ｂ１の検査を行うことも可能である。この場合、第３の画面Ｄ３に代えて、操作用の第４の画面Ｄ４にて、検査処理の開始のための操作が行われる。第４の画面Ｄ４への切り替えは、例えば、第２の画面Ｄ２で鞄撮影ボタンＤ１３がタップされることにより実現される。第４の画面Ｄ４は、顔認証ボタンＤ１１、かご撮影ボタンＤ１２、鞄撮影ボタンＤ１３、メッセージ領域Ｄ１７、操作ガイド領域Ｄ２３及び確認ボタンＤ２２を含む。操作ガイド領域Ｄ２３には、一例として、検査処理のための操作案内（「鞄の中身を開けてください。撮影釦をクリックしてください。」等）が、テキスト表示される。
【００６５】
出勤した人Ｈ１は、自らの荷物Ｂ１であるバッグを机２６上に置き、かつバッグの口を開いた上で、情報端末２３を操作して、第４の画面Ｄ４の確認ボタンＤ２２をタップする。このとき、人Ｈ１が荷物Ｂ１をバッグに収容した状態で所持している場合は、人Ｈ１は、バッグから荷物Ｂ１を取り出してかご２７内に並べる。これにより、実行部１１にて検査処理が実行され、全体カメラ２１及び荷物用カメラ２２で得られた画像データがゲート管理システム１０に送信される。そして、情報端末２３の表示内容が、操作用の第５の画面Ｄ５に遷移する。
【００６６】
第５の画面Ｄ５は、顔認証ボタンＤ１１、かご撮影ボタンＤ１２、鞄撮影ボタンＤ１３、メッセージ領域Ｄ１７及び完了領域Ｄ２４を含む。完了領域Ｄ２４には、一例として、出勤時に行う操作が完了したことを示す操作案内（「終了です。今日も一日頑張りましょう。」等）が、テキスト表示される。第５の画面Ｄ５の表示に合わせて、制御部１６は、扉２５を解錠するように施解錠システム２４を制御する。第５の画面Ｄ５が表示されてから一定時間（一例として、５秒程度）経過すると、情報端末２３の表示内容は、操作用の第１の画面Ｄ１に遷移する。
【００６７】
以降、他の人Ｈ１が出勤する度に、上記と同様の操作を行うことで、複数の人Ｈ１について、認証処理及び検査処理が実行される。
【００６８】
また、ここでは人Ｈ１の出勤時におけるゲート管理システム１０の動作を例示したが、人Ｈ１の退勤時におけるゲート管理システム１０の動作についても、概ね同様である。つまり、退勤時には、人Ｈ１は、第１の画面Ｄ１において、退勤ボタンＤ１５をタップすることで、認証処理及び検査処理を行う。
【００６９】
次に、上述したような出勤時の人Ｈ１の一連の操作がなされた上で、管理者端末５０にて閲覧可能となる管理用の画面Ｘ１について説明する。このような画面Ｘ１は、管理者端末５０にて、例えば、所定のＩＤ及パスワードが入力されることで表示可能である。
【００７０】
管理用の画面Ｘ１は、認証画像領域Ｉｍ１、検査画像領域Ｉｍ２、広域画像領域Ｉｍ３、操作ボタンＸ１１、タブ領域Ｘ１２、メッセージ領域Ｘ１３、検索欄Ｘ１４及びリスト領域Ｘ１５を含む。認証画像領域Ｉｍ１には、認証関連データに含まれる画像データ、つまり情報端末２３のカメラ２３１で撮影された画像（人Ｈ１の顔の画像）が表示される。検査画像領域Ｉｍ２には、検査関連データに含まれる画像データ、つまり荷物用カメラ２２で撮影された画像（荷物Ｂ１の画像）が表示される。広域画像領域Ｉｍ３には、全体カメラ２１で撮影された画像が表示される。これら認証画像領域Ｉｍ１、検査画像領域Ｉｍ２及び広域画像領域Ｉｍ３に表示されるデータは、互いに対応付けられたデータである。つまり、ある時間情報で第１データベースＤＢ１及び第２データベースＤＢ２の検索をかけることで抽出される画像データが、認証画像領域Ｉｍ１、検査画像領域Ｉｍ２及び広域画像領域Ｉｍ３に並べて一覧表示される。よって、認証画像領域Ｉｍ１、検査画像領域Ｉｍ２及び広域画像領域Ｉｍ３に表示される画像は、同一の人Ｈ１の１回の移動に際して得られた、認証処理のための画像、及び検査処理のための画像である。
【００７１】
操作ボタンＸ１１は、認証画像領域Ｉｍ１、検査画像領域Ｉｍ２及び広域画像領域Ｉｍ３に表示される画像について、再生、一時停止及びコマ送り等の操作を受け付けるためのボタンである。タブ領域Ｘ１２には、一例として、店舗Ｆ１の名称、日付及び時刻等が、テキスト表示される。メッセージ領域Ｘ１３には、一例として、認証処理にて認証された人Ｈ１の名前（「〇〇様」等）、出勤／退勤の区別、日付及び時刻が、テキスト表示される。検索欄Ｘ１４は、認証画像領域Ｉｍ１、検査画像領域Ｉｍ２及び広域画像領域Ｉｍ３に表示させる画像を検索するための絞り込み条件の入力に用いられる。絞り込み条件は、例えば、店舗Ｆ１、人Ｈ１及び日時等を限定する条件を含む。リスト領域Ｘ１５は、ゲート管理システム１０にて管理されている、認証処理及び検査処理の結果の一覧である。このリスト領域Ｘ１５には、一例として、人Ｈ１の名前（「〇〇様」等）、出勤／退勤の区別、日付及び時刻が、互いに対応付けてテキスト表示される。
【００７２】
このような管理用の画面Ｘ１によれば、人Ｈ１の出退勤の状況と、出退勤に際して人Ｈ１が持ち込んだ（又は持ち出した）荷物Ｂ１と、を容易に確認可能となる。また、図５の画面Ｘ１は一例に過ぎず、例えば、比較部１５にて、ある人Ｈ１について、出勤時の荷物Ｂ１の検査関連データと、退勤時の荷物Ｂ１の検査関連データと、を比較可能な態様で画面Ｘ１中に表示してもよい。また、画面Ｘ１における認証画像領域Ｉｍ１の右方（広域画像領域Ｉｍ３の上方）の空欄にも、何らかの画像等が表示されてもよい。画面Ｘ１における認証画像領域Ｉｍ１の右方の空欄には、一例として、顔認証用の登録画像（顔画像の静止画）が表示される。これにより、認証画像領域Ｉｍ１に表示される画像（人Ｈ１の顔の画像）と、登録画像と、を目視で比較することも容易になる。
【００７３】
（２．５）フローチャート
上述したゲート管理システム１０の基本的な動作、つまりゲート管理方法は、図６に示すフローチャートで表される。
【００７４】
すなわち、ゲート管理システム１０は、まず人Ｈ１の出勤の有無を判断し（Ｓ１）、人Ｈ１が出勤しなければ（Ｓ１：Ｎｏ）、処理Ｓ１を繰り返す。人Ｈ１が出勤して第１の画面Ｄ１の出勤ボタンＤ１４をタップすると（Ｓ１：Ｙｅｓ）、ゲート管理システム１０は、実行部１１にて認証処理Ｓ２を実行する（Ｓ２）。このとき、認証システム４０での認証に失敗すると（Ｓ３：Ｎｏ）、ゲート管理システム１０は、処理を終了する。一方、認証システム４０での認証に成功すると（Ｓ３：Ｙｅｓ）、ゲート管理システム１０は、実行部１１にて、続けて荷物Ｂ１及び広域領域の撮像を行い（Ｓ４）、検査処理を実行する。
【００７５】
その後、ゲート管理システム１０は、認証関連データを第２データベースＤＢ２に記録し（Ｓ５）、検査関連データを第１データベースＤＢ１に記録する（Ｓ６）。このとき、認証関連データ及び検査関連データは、同一の時間軸の時間情報（タイムスタンプ）を含んだ状態で記録される。これにより、１回の移動に際して実行された、認証処理に関する認証関連データ、及び検査処理に関する検査関連データは、互いに対応付け可能な態様で管理される。
【００７６】
上記一連の処理が正常に終了すると、ゲート管理システム１０は、制御部１６にて、店舗Ｆ１の扉２５を解錠するように施解錠システム２４を制御する（Ｓ７）。
【００７７】
以降、他の人Ｈ１が出勤する度に、上記と同様の動作を行うことで、複数の人Ｈ１について、認証処理及び検査処理が実行される。
【００７８】
また、ここでは人Ｈ１の出勤時におけるゲート管理システム１０の動作を例示したが、人Ｈ１の退勤時におけるゲート管理システム１０の動作についても、概ね同様である。
【００７９】
図６のフローチャートは、ゲート管理方法の一例に過ぎず、その処理の順序が適宜入れ替わっていてもよいし、いずれかの処理について適宜省略されてもよい。
【００８０】
（３）変形例
実施形態１は、本開示の様々な実施形態の一つに過ぎない。実施形態１は、本開示の目的を達成できれば、設計等に応じて種々の変更が可能である。本開示において説明する各図は、模式的な図であり、各図中の各構成要素の大きさ及び厚さそれぞれの比が、必ずしも実際の寸法比を反映しているとは限らない。また、実施形態１に係るゲート管理システム１０と同様の機能は、ゲート管理方法、プログラム、又はプログラムを記録した非一時的記録媒体等で具現化されてもよい。一態様に係るゲート管理方法は、認証処理（図６の「Ｓ２」に相当）と、検査処理（図６の「Ｓ４」に相当）と、管理処理（図６の「Ｓ５」，「Ｓ６」に相当）と、を有する。認証処理は、施設Ｆ１における第１領域Ａ１から第２領域Ａ２への人Ｈ１の移動に際して実行する、人Ｈ１の認証のための処理である。検査処理は、第１領域Ａ１から第２領域Ａ２への人Ｈ１の移動に際して実行する、人Ｈ１が所持する荷物Ｂ１の検査のための処理である。管理処理は、１回の移動に際して実行された、認証処理に関する認証関連データ、及び検査処理に関する検査関連データを、互いに対応付け可能な態様で管理する処理である。一態様に係る再生用プログラムは、上記の再生方法を、１以上のプロセッサに実行させるためのプログラムである。
【００８１】
以下、実施形態１の変形例を列挙する。以下に説明する変形例は、適宜組み合わせて適用可能である。
【００８２】
本開示におけるゲート管理システム１０は、例えば、実行部１１及び管理部１２等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示におけるゲート管理システム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００８３】
また、統括管理システム１００の少なくとも一部の機能が、１つの筐体内に集約されていることは統括管理システム１００に必須の構成ではなく、統括管理システム１００の構成要素は、複数の筐体に分散して設けられていてもよい。例えば、ゲート管理システム１０の機能の一部が、クラウドＣ１とは別に設けられていてもよい。さらに、ゲート管理システム１０の少なくとも一部の機能は、クラウドＣ１上に構築されていなくてもよい。
【００８４】
反対に、実施形態１において、複数の装置に分散されている統括管理システム１００の少なくとも一部の機能が、１つの筐体内に集約されていてもよい。例えば、本部側システム３０と認証システム４０とに分散されている機能が、１つの筐体内に集約されていてもよい。
【００８５】
また、ゲート管理システム１０の通信方式は、実施形態１で説明した方式に限らず、有線通信又は無線通信の適宜の通信方式を採用可能である。また、ゲート管理システム１０は、全体カメラ２１、荷物用カメラ２２及び情報端末２３等からリアルタイムでデータを取得する構成に限らず、全体カメラ２１、荷物用カメラ２２及び情報端末２３等に記憶されているデータを、定期的又は不定期に取得してもよい。さらに、ゲート管理システム１０は、全体カメラ２１、荷物用カメラ２２及び情報端末２３等から通信によりデータを取得する構成に限らず、例えば、メモリカード等の非一時的録媒体を介してデータを取得してもよい。
【００８６】
また、人Ｈ１の出勤と退勤との両方を管理することは、ゲート管理システム１０に必須の構成ではない。つまり、実施形態１では、実行部１１は、第２領域Ａ２から第１領域Ａ１への人Ｈ１の移動に際しても、認証処理及び検査処理を実行するが、これはゲート管理システム１０に必須の構成ではない。実行部１１は、少なくとも第１領域Ａ１から第２領域Ａ２への人Ｈ１の移動に際して、認証処理及び検査処理を実行すればよい。そして、この場合であっても、バックヤードを第２領域Ａ２、更衣室を第１領域Ａ１とすることで、ゲート管理システム１０は、人Ｈ１の退勤を管理することが可能である。
【００８７】
また、検査処理にかご２７を使用することは、ゲート管理システム１０に必須の構成ではない。例えば、透明の袋若しくはトレイに荷物Ｂ１が出された状態、又は机２６上に直接的に荷物Ｂ１が置かれた状態で、検査処理が実行されてもよい。
【００８８】
また、各店舗Ｆ１に設置された設備（全体カメラ２１、荷物用カメラ２２及び情報端末２３等）は、１つの店舗Ｆ１に対して複数台設置されていてもよい。例えば、全体カメラ２１、荷物用カメラ２２及び情報端末２３が１つの店舗Ｆ１に２台ずつ設置されていれば、この店舗Ｆ１では２人の人Ｈ１について同時に認証処理及び検査処理を実行可能となる。
【００８９】
また、実施形態１では、全体カメラ２１及び荷物用カメラ２２は、フルカラーのカメラであるが、この例に限らず、例えば、Ｘ線カメラ及び赤外線カメラ等であってもよい。つまり、検査処理は、荷物Ｂ１を撮影したＸ線画像等に基づいて実行されてもよい。
【００９０】
また、管理用の画面Ｘ１は、管理者端末５０に限らず、例えば、情報端末２３又は本部側システム３０等に表示されてもよい。
【００９１】
また、実施形態１では、店舗Ｆ１の従業員（店員）である人Ｈ１の出退勤の管理にゲート管理システム１０が利用される場合について説明したが、ゲート管理システム１０は、従業員の出退勤以外の管理に利用されてもよい。例えば、店舗Ｆ１の従業員（店員）である人Ｈ１の一時入室（一時入場）若しくは一時退室（一時退場）、又は従業員以外の人Ｈ１（出入り業者、客等）の入退室（入退場）の管理に、ゲート管理システム１０が利用されてもよい。ゲート管理システム１０は、例えば、従業員以外の人Ｈ１等、顔認証用の認証データが登録されていない人Ｈ１については、認証処理は対象外とし、検査処理のみを実行してもよい。
【００９２】
また、ゲート管理システム１０の管理対象となる施設は、店舗に限らず、例えば、事務所、テーマパーク、球場、ホール、倉庫、物流センター（配送センターを含む）、工場、学校、病院、駅、空港、駐車場又は住宅等であってもよい。
【００９３】
また、全体カメラ２１及び荷物用カメラ２２が生成する画像データは、いずれもフルカラーの動画（動画像）に限らず、静止画又はモノクロ画像であってもよい。
【００９４】
また、複数の店舗Ｆ１（施設）が管理対象であることはゲート管理システム１０に必須の構成ではなく、ゲート管理システム１０は、１つの店舗Ｆ１（施設）のみを管理対象としてもよい。
【００９５】
また、実施形態１では、比較部１５は、ある人Ｈ１について、出勤時の荷物Ｂ１の検査関連データと、退勤時の荷物Ｂ１の検査関連データと、を比較可能な態様で出力するだけであるが、比較部１５の構成はこれに限らない。一例として、比較部１５は、出勤時の荷物Ｂ１の検査関連データと、退勤時の荷物Ｂ１の検査関連データと、について画像処理等の処理を実行することで、自動的に一致／不一致の判定を行ってもよい。これにより、比較部１５にて、人Ｈ１が出勤時に持ち込んだ荷物Ｂ１と、退勤時に持ち出した荷物Ｂ１との間で、一致／不一致が判定される。そして、不一致と判定される場合には、ゲート管理システム１０は、報知を行うことで、例えば、店舗Ｆ１で扱っている商品及び備品等を店舗Ｆ１から無断で持ち出すことの抑制が可能となる。この場合に、荷物Ｂ１の一致／不一致の判定は、完全一致か否かで判定してもよいし、又は出勤時に無かった荷物Ｂ１が退勤時に追加されている場合にのみ、不一致と判定してもよい。後者であれば、例えば、出勤時に店舗Ｆ１に持ち込んだ飲食物等を、店舗Ｆ１内で消費した場合等に、誤報を避けることが可能である。
【００９６】
さらに、比較部１５は、ある人Ｈ１について、出勤時の荷物Ｂ１の検査関連データと、過去の出勤若しくは退勤時の荷物Ｂ１の検査関連データと、を比較可能な態様で出力してもよい。この場合、不審物等の持ち込み、又は忘れ物等についても、比較部１５の出力から判断可能である。この場合においても、比較部１５は、出勤時の荷物Ｂ１の検査関連データと、過去の出勤若しくは退勤時の荷物Ｂ１の検査関連データと、について自動的に一致／不一致の判定を行ってもよい。これにより、比較部１５にて、不審物等の持ち込み、又は忘れ物等についても、自動的に判定可能となる。また、出勤時の荷物Ｂ１の検査関連データと比較される過去の検査関連データは、複数人の検査関連データから統計的に生成されるデータであってもよい。これにより、例えば、初めて店舗Ｆ１を訪れる不審者等についても、不審物等の持ち込みの判断が可能となる。
【００９７】
また、証明処理は、検査処理に際して荷物Ｂ１を置くための検査領域と、検査領域の周辺領域と、を含む広域領域を撮影する処理に限らない。例えば、証明処理は、検査領域に置かれた荷物Ｂ１が、正常に撮影可能な状態であることを検知する処理を含んでいてもよい。一例として、複数の荷物Ｂ１が重ねて置かれている場合にあっては、下にある荷物Ｂ１を正常に撮影できないことがあるので、このような荷物Ｂ１の重なりを検知した場合には、荷物Ｂ１の撮影を開始しないようにしてもよい。これにより、荷物Ｂ１の重なりが無い場合にのみ、検査処理において荷物Ｂ１の撮影が開始されるので、荷物Ｂ１が正常に撮影可能な状態にないときに、検査処理が行われることを回避できる。荷物Ｂ１の重なりは、例えば、全体カメラ２１又は荷物用カメラ２２で撮影される画像から自動的に検知される。
【００９８】
また、ゲート管理システム１０は、例えば、認証処理と検査処理との少なくとも一方において、異常及び不正等が発生した場合には、その旨の報知を適宜行ってもよい。報知の手段の一例として、その場（第１領域Ａ１又は第２領域Ａ２）での音出力若しくは表示（発光を含む）、ログの記録、又は本部側システム３０若しくは管理者端末５０への通報等がある。
【００９９】
さらにまた、ゲート管理システム１０に関連する装置（全体カメラ２１、荷物用カメラ２３及び情報端末２３等）の異常が生じた場合についても、上記と同様に、その旨の報知を適宜行ってもよい。この場合の報知の手段の一例として、その場（第１領域Ａ１又は第２領域Ａ２）での音出力若しくは表示（発光を含む）、ログの記録、又は本部側システム３０若しくは管理者端末５０への通報等がある。
【０１００】
（実施形態２）
本実施形態に係るゲート管理システム１０Ａは、図７に示すように、トリガ検知部１９を備える点で実施形態１に係るゲート管理システム１０と相違する。以下、実施形態１と同様の構成については、共通の符号を付して適宜説明を省略する。
【０１０１】
トリガ検知部１９は、所定のイベントの発生を検知し、トリガ信号を発生する。本開示でいう「所定のイベント」は、所定の検知条件を満たすイベントであって、例えば、荷物Ｂ１に含まれるバッグＢ１１の口が開いたこと、又は荷物Ｂ１が検査領域（机２６上）に置かれたこと等である。本実施形態では、荷物用カメラ２２で得られた画像データ（荷物Ｂ１の画像）について、トリガ検知部１９が、画像解析等を行うことによって、荷物Ｂ１に含まれるバッグＢ１１の口が開いたことを、所定のイベントとして検知する。荷物Ｂ１に含まれるバッグＢ１１の口が開いた状態では、バッグＢ１１の中身Ｂ１２が荷物用カメラ２２にて撮影可能となる。
【０１０２】
本実施形態では、証明処理は、検査処理に際して荷物Ｂ１を置くための検査領域に、荷物Ｂ１が検査可能な態様で置かれたことの検知を含む。具体的には、トリガ検知部１９からのトリガ信号を受けて、証明部１３は、実行部１１に検査処理を開始させる。これにより、証明部１３は、荷物Ｂ１に含まれるバッグＢ１１の口が開いたことをもって、検査領域に荷物Ｂ１が検査可能な態様で置かれたことと判断し、実行部１１に検査処理を開始させることができる。
【０１０３】
また、本実施形態では、管理部１２は、認証関連データ及び検査関連データに対して、共通のラベル情報を付すことにより、認証関連データ及び認証関連データを互いに対応付け可能な態様で管理している。具体的には、管理部１２は、トリガ検知部１９が出力するトリガ信号に含まれるラベル情報を、そのときの認証処理及び検査処理に関する認証関連データ及び検査関連データに付加する。これにより、認証関連データ及び認証関連データは、ラベル情報によって、互いに対応付け可能な態様で管理されることになる。
【０１０４】
実施形態２で説明した種々の構成は、実施形態１で説明した種々の構成（変形例を含む）と適宜組み合わせて採用可能である。
【０１０５】
（まとめ）
第１の態様に係るゲート管理システム（１０，１０Ａ）は、実行部（１１）と、管理部（１２）と、を備える。実行部（１１）は、施設（店舗Ｆ１）における第１領域（Ａ１）から第２領域（Ａ２）への人（Ｈ１）の移動に際して、認証処理、及び検査処理、を実行する。認証処理は、人（Ｈ１）の認証のための処理である。検査処理は、人（Ｈ１）が所持する荷物（Ｂ１）の検査のための処理である。管理部（１２）は、１回の移動に際して実行された、認証処理に関する認証関連データ、及び検査処理に関する検査関連データを、互いに対応付け可能な態様で管理する。
【０１０６】
この態様によれば、人（Ｈ１）の１回の移動に際して得られる認証関連データ及び検査関連データが、互いに対応付け可能な態様で管理される。例えば、ある人（Ｈ１）の特定の場所（第２領域Ａ２）への移動について、この人（Ｈ１）の認証処理に関する認証関連データと、この人（Ｈ１）が当該場所に持ち込む荷物（Ｂ１）の検査処理に関する検査関連データと、が互いに対応付け可能な態様で管理される。その結果、ゲート管理システム（１０，１０Ａ）では、特定の場所への人（Ｈ１）の入退に際して、この人（Ｈ１）が当該場所に持ち込む又は当該場所から持ち出す荷物（Ｂ１）の検査状況についても、人（Ｈ１）の入退と対応付けて確認可能となる。このように、ゲート管理システム（１０，１０Ａ）では、特定の場所へ移動する人（Ｈ１）についてだけでなく、この人（Ｈ１）が当該場所に持ち込む又は当該場所から持ち出す荷物（Ｂ１）についても管理可能である。
【０１０７】
第２の態様に係るゲート管理システム（１０，１０Ａ）では、第１の態様において、認証処理は人（Ｈ１）の顔の画像を用いた顔認証処理を含む。
【０１０８】
この態様によれば、認証関連データとして、例えば、人（Ｈ１）の顔の画像を用いることができ、この画像が検査関連データと互いに対応付け可能な態様で管理される。
【０１０９】
第３の態様に係るゲート管理システム（１０，１０Ａ）では、第１又は２の態様において、検査処理は荷物（Ｂ１）を撮影する処理を含む。
【０１１０】
この態様によれば、検査関連データとして、例えば、荷物（Ｂ１）の画像を用いることができ、この画像が認証関連データと互いに対応付け可能な態様で管理される。
【０１１１】
第４の態様に係るゲート管理システム（１０，１０Ａ）は、第１〜３のいずれかの態様において、証明部（１３）を更に含む。証明部（１３）は、検査処理の検査対象について人（Ｈ１）が所持する荷物（Ｂ１）であることを証明するための証明処理を実行する。
【０１１２】
この態様によれば、検査処理の検査対象について、確かに人（Ｈ１）が所持する荷物（Ｂ１）であることを証明することが可能である。
【０１１３】
第５の態様に係るゲート管理システム（１０，１０Ａ）では、第４の態様において、証明処理は、広域領域を撮影する処理を含む。広域領域は、検査処理に際して荷物（Ｂ１）を置くための検査領域と、検査領域の周辺領域と、を含む。
【０１１４】
この態様によれば、広域領域の画像を用いることで、検査処理の検査対象について、確かに人（Ｈ１）が所持する荷物（Ｂ１）であることを証明することが可能である。
【０１１５】
第６の態様に係るゲート管理システム（１０，１０Ａ）では、第４又は５の態様において、証明処理は、検査処理に際して荷物（Ｂ１）を置くための検査領域に、荷物（Ｂ１）が検査可能な態様で置かれたことの検知を含む。
【０１１６】
この態様によれば、検査領域に、荷物（Ｂ１）が検査可能な態様で置かれたことの検知をもって、検査処理の検査対象について、確かに人（Ｈ１）が所持する荷物（Ｂ１）であることを証明することが可能である。
【０１１７】
第７の態様に係るゲート管理システム（１０，１０Ａ）は、第１〜６のいずれかの態様において、収集部（１４）を更に備える。施設（店舗Ｆ１）は複数あって、収集部（１４）は、複数の施設における認証関連データ、及び検査関連データを収集する。
【０１１８】
この態様によれば、複数の施設の認証関連データ及び検査関連データを一元管理可能となる。
【０１１９】
第８の態様に係るゲート管理システム（１０，１０Ａ）では、第１〜７のいずれかの態様において、管理部（１２）は、下記のように、認証関連データ及び検査関連データを互いに対応付け可能な態様で管理する。すなわち、管理部（１２）は、認証関連データ及び検査関連データに含まれる同一の時間軸の時間情報によって、認証関連データ及び検査関連データを互いに対応付け可能な態様で管理する。
【０１２０】
この態様によれば、認証関連データ及び検査関連データに加工を施すことなく、認証関連データ及び検査関連データを互いに対応付け可能な態様で管理することができる。
【０１２１】
第９の態様に係るゲート管理システム（１０，１０Ａ）では、第１〜７のいずれかの態様において、管理部（１２）は、下記のように、認証関連データ及び検査関連データを互いに対応付け可能な態様で管理する。すなわち、管理部（１２）は、認証関連データ及び検査関連データに対して、共通のラベル情報を付すことにより、認証関連データ及び認証関連データを互いに対応付け可能な態様で管理する。
【０１２２】
この態様によれば、適当なラベル情報を設定することで、認証関連データ及び検査関連データを互いに対応付け可能な態様で管理することができる。
【０１２３】
第１０の態様に係るゲート管理システム（１０，１０Ａ）では、第１〜９のいずれかの態様において、認証関連データを伝送するための通信路は、検査関連データを伝送するための通信路と別である。
【０１２４】
この態様によれば、認証関連データ及び検査関連データの各々に適した通信路を採用できる。
【０１２５】
第１１の態様に係るゲート管理システム（１０，１０Ａ）では、第１〜１０のいずれかの態様において、実行部（１１）は、第２領域（Ａ２）から第１領域（Ａ１）への人（Ｈ１）の移動に際しても、認証処理及び検査処理を実行する。
【０１２６】
この態様によれば、第１領域（Ａ１）から第２領域（Ａ２）への人（Ｈ１）の移動だけでなく、第２領域（Ａ２）から第１領域（Ａ１）への人（Ｈ１）の移動についても管理できる。
【０１２７】
第１２の態様に係るゲート管理システム（１０，１０Ａ）は、第１１の態様において、比較部（１５）を更に備える。比較部（１５）は、同一の人（Ｈ１）について、第１領域（Ａ１）から第２領域（Ａ２）への移動に際して生じた認証関連データ及び検査関連データと、第２領域（Ａ２）から第１領域（Ａ１）への移動に際して生じた認証関連データ及び検査関連データと、を互いに比較可能な態様で出力する。
【０１２８】
この態様によれば、第１領域（Ａ１）から第２領域（Ａ２）へ移動した人（Ｈ１）が、第２領域（Ａ２）から第１領域（Ａ１）へ移動する際の、荷物（Ｂ１）の一致／不一致等を容易に管理できる。
【０１２９】
第１３の態様に係るゲート管理方法は、認証処理と、検査処理と、管理処理と、を有する。認証処理は、施設（店舗Ｆ１）における第１領域（Ａ１）から第２領域（Ａ２）への人（Ｈ１）の移動に際して実行する、人（Ｈ１）の認証のための処理である。検査処理は、第１領域（Ａ１）から第２領域（Ａ２）への人（Ｈ１）の移動に際して実行する、人（Ｈ１）が所持する荷物（Ｂ１）の検査のための処理である。管理処理は、１回の移動に際して実行された、認証処理に関する認証関連データ、及び検査処理に関する検査関連データを、互いに対応付け可能な態様で管理する処理である。
【０１３０】
この態様によれば、人（Ｈ１）の１回の移動に際して得られる認証関連データ及び検査関連データが、互いに対応付け可能な態様で管理される。例えば、ある人（Ｈ１）の特定の場所（第２領域Ａ２）への移動について、この人（Ｈ１）の認証処理に関する認証関連データと、この人（Ｈ１）が当該場所に持ち込む荷物（Ｂ１）の検査処理に関する検査関連データと、が互いに対応付け可能な態様で管理される。その結果、ゲート管理方法では、特定の場所への人（Ｈ１）の入退に際して、この人（Ｈ１）が当該場所に持ち込む又は当該場所から持ち出す荷物（Ｂ１）の検査状況についても、人（Ｈ１）の入退と対応付けて確認可能となる。このように、ゲート管理方法では、特定の場所へ移動する人（Ｈ１）についてだけでなく、この人（Ｈ１）が当該場所に持ち込む又は当該場所から持ち出す荷物（Ｂ１）についても管理可能である。
【０１３１】
第１４の態様に係るプログラムは、第１３の態様に係るゲート管理方法を１以上のプロセッサに実行させるためのプログラムである。
【０１３２】
この態様によれば、人（Ｈ１）の１回の移動に際して得られる認証関連データ及び検査関連データが、互いに対応付け可能な態様で管理される。例えば、ある人（Ｈ１）の特定の場所（第２領域Ａ２）への移動について、この人（Ｈ１）の認証処理に関する認証関連データと、この人（Ｈ１）が当該場所に持ち込む荷物（Ｂ１）の検査処理に関する検査関連データと、が互いに対応付け可能な態様で管理される。その結果、上記プログラムでは、特定の場所への人（Ｈ１）の入退に際して、この人（Ｈ１）が当該場所に持ち込む又は当該場所から持ち出す荷物（Ｂ１）の検査状況についても、人（Ｈ１）の入退と対応付けて確認可能となる。このように、上記プログラムでは、特定の場所へ移動する人（Ｈ１）についてだけでなく、この人（Ｈ１）が当該場所に持ち込む又は当該場所から持ち出す荷物（Ｂ１）についても管理可能である。
【０１３３】
上記態様に限らず、実施形態１及び実施形態２に係るゲート管理システム（１０，１０Ａ）の種々の態様（変形例を含む）は、ゲート管理方法又はプログラムにて具現化可能である。
【０１３４】
第２〜１２の態様に係る構成については、ゲート管理システム（１０，１０Ａ）に必須の構成ではなく、適宜省略可能である。
【符号の説明】
【０１３５】
１０，１０Ａ  ゲート管理システム
１１  実行部
１２  管理部
１３  証明部
１４  収集部
１５  比較部
Ａ１  第１領域
Ａ２  第２領域
Ｂ１  荷物
Ｆ１  店舗（施設）
Ｈ１  人
【図１】
2020129235.tif 000003
【図２】
2020129235.tif 000004
【図３】
2020129235.tif 000005
【図４】
2020129235.tif 000006
【図５】
2020129235.tif 000007
【図６】
2020129235.tif 000008
【図７】
2020129235.tif 000009